(57)【要約】【課題】２Ｄ映像と３Ｄ映像用の映像データを記録再生することを同時に再生することが困難であると同時に２Ｄ映像と３Ｄ映像を交互に再生することが難しかった。  本発明は、複数の映像を録画再生する事を簡単にできるプロセッサ３Ｄビデオプレーヤを提供する。【解決方法】字幕含む２Ｄ映像を音声とともに記録し、青色レーザー光発振器と光学ピックアップで読み出すディスクと３Ｄ映像の再構成のための複数の演算回路で映像を作るための映像データを記録し、赤色レーザー光発振器と光学ピックアップで読み出すディスクを２枚載せるディスクトレーを同時に回転させ演算回路で再構成して出力することを特徴とするプロセッサ３Ｄビデオプレーヤ。【選択図】図１
2017228338.tif 000002
【特許請求の範囲】
【請求項１】
中央カメラ映像が記録されたディスクを青色レーザー光発振器と光学ピックアップで読み出す第１ディスクトレーと同軸に重ねて取付け、軸にディスク隙間ロータリーホイ−ルをはめ込み、第２ディスクトレーのディスクを軸受とディスクロータリーホイ−ルにＤＤモータを直結してＤＤモータを高速回転させるモータ駆動部とて、赤色レーザー光発振器と光学ピックアップで読み出した複数の演算回路で得た映像データを色別に、複数の演算回路で再構成して色別に出力することを特徴にするプロセッサ３Ｄビデオプレーヤ。
【請求項２】
第２ディスクトレーのディスクに記録したフィ−ルド数に正確に同期するため、スタートスイッチで起動する高精度クロック発振器のパルス出力とフィールドカウンタ出力を第１プロセッサに入力、同時に高精度クロック発振器の出力をクロック照合機能ＲＯＭに加えて第１プロセッサの出力をクロック数照合機能ＲＯＭに入力することで高精度クロック発振器と同じリズムで同期した場合、フィールド数を出力して同期しない場合は、正常のフィールド数に切り換えて第２プロセッサに入力後、リレーモジュールで２Ｄ映像と３Ｄ映像の右カメラ映像或いは左カメラ映像の切り換えて出力することを特徴とするプロセッサ３Ｄビデオプレーヤ。
【請求項３】
２枚のディスクを同時に読み出すためのスタート位置を合わせるシールをモータ軸の一部に設け、２枚のディスクも同様のシールを貼り位置を合わせ同期することを特徴とするプロセッサ３Ｄビデオプレーヤ。
【発明の詳細な説明】
【技術分野】
【０００１】  本発明は、プロセッサ利用で再生するプロセッサ３Ｄビデオプレーヤに関するものである。
【背景技術】
【０００２】  従来の３Ｄビデオプレーヤは、２つのカメラ映像を信号圧縮させて入力、左右映像を交互に差し替えてデジタル録画したディスクの映像信号を伸長して、２つの映像出力に変換して再生していた。
【発明の概要】
【発明が解決しようとする課題】
【０００３】  複数の映像、例えば左右映像を圧縮させて交互にディスクにデジタル記録した場合、記録媒体の記録容量が限られ長時間の再生が困難であった。色再現上自然の色彩を得ることが不可能であった。
本発明は、この問題を解決したものである。
【課題を解決するための手段】
【０００４】  まず映像コンテンツは、中央カメラ映像と左右映像コンテンツを使う。この３映像を切り替えるフィールドカウント数値を記録してこの数値で切り換え中央カメラ映像、右カメラ映像、左カメラ映像を再生出力にする。
次にカメラ映像は画素毎に左端から順に色別に単独で演算方法１及び２の方法で演算したデータをディスク２に記録する。【０００５】  ディスク２に記録するための演算方法は次の通りである。
演算１（Ｅ１）  右カメラ映像−左カメラ映像
演算２（Ｅ２）  右カメラ映像−中央カメラ映像（字幕含まない）【０００６】  ディスク１は高密度記録用で青色レーザー光により読出し、片一方のディスク２は、赤色レーザー光で読み出す。同軸で垂直にディスクを重ねて配置し、ＤＤモータでディスクを高速回転させ光学ピックアップで読み出す。【０００７】  中央カメラ映像、右カメラ映像、左カメラ映像などは専用カメラで撮る。これは特許文献１にあるような３眼カメラを利用する。【０００８】
【特許文献１】  実登第３１９９５８２号
【０００９】  中央カメラ映像は字幕も含む２Ｄの基本コンテンツで高密度記録ディスクに記録する。別にディスクには演算処理するコンテンツが記録されるのでこのカメラ出力の色ごとに演算回路１（Ｅ１）及び演算回路２（Ｅ２）に入力するが、演算回路は（Ｅ１）、（Ｅ２）各演算回路で６個で並列に演算処理する。【００１０】演算回路１は、右カメラ映像と左カメラ映像のみ関わるので右カメラのＲＧＢと左カメラのＲＧＢにおいてＲ（赤）同士、Ｇ（緑）同士、Ｂ（青）同士を演算回路１の演算回路Ｒ１、演算回路Ｇ１、演算回路Ｂ１に接続し演算する。同様に演算回路２は右カメラ映像と字幕を含まない中央カメラ映像のみ関わるので右カメラと中央カメラの色同士を演算回路Ｒ２、演算回路Ｇ２、演算回路Ｂ２に接続して演算処理する。【００１１】    次に映像を再構成する為に演算回路３（Ｅ３）の方法で右カメラ映像出力を得る。
演算回路４（Ｅ４）の方法で左カメラ映像出力を得る。【００１２】  演算回路３（Ｅ３）右カメラ映像  Ｅ２＋中央カメラ映像（字幕含まない）
演算回路４（Ｅ４）左カメラ映像  Ｅ２＋中央カメラ映像（字幕含まない）−Ｅ１
【発明の効果】
【００１３】  字幕含む２Ｄ映像をディスク１の高密度記録ディスク専用のディスクトレーで再生、同時に演算回路で映像処理して再構成するためのディスク２を同軸で垂直に重ねて再生する。
さらに高精度クロック発振器と同期出せるので綺麗な映像が出力され、高密度記録ディスク１枚でも２Ｄ映像が楽しめる。軸にシールが一方に印があるのでこれに合わせることで再生できる。色ごとに演算するので無理なくディスクに収録できる。
【図面の簡単な説明】
【００１４】
【図１】本発明の全体図
【図２】本発明のディスク駆動部と光学ピックアップの図
【図３】本発明の演算処理部とディスクの関連を示す図
【図４】本発明のフィ−ルドカウンタ部の回路構成図
【発明を実施するための形態】
【００１５】  以下、本発明の実施例について図１から図４を用いて説明する。
図１は、プロセッサ３Ｄビデオプレーヤの全体図である。
本体部（１）に組み込まれた電子回路部（２）と中央部にモータ駆動部（３）と光学ピックアップ駆動部（４）が設けてあり、ディスク（４０）を載せるディスクテーブル（４１）が中央部に側部に電源（７）と電源コード（７０）と、映像信号や音声信号などを出力するＵＳＢケーブル端子（７１）が本体部（１）に組み込まれ、蓋部（５）を取り付けたプロセッサ３Ｄビデオプレーヤである。
ディスク（４０）には、シール（４２）がモータ軸（３０）のディスク（４０）の取り付け穴に沿った一部に印がつけられている。これは２枚のディスク（４０）をディスクロータリーホイール（３１）とＤＤモータ（３２）に取り付け、ディスクロータリーホイール（３１）の中心に軸受（３３）と軸（３４）を貫通させ第１ディスクトレー（３５）と第２デイスクトレー（３６）を上下に配置、第１ディスクトレー（３５）と第２ディスクトレー（３６）の間にディスク隙間ホルダー管（３８）を装着する。
【００１６】  本体部（１）に蓋部（５）とディスク押さえ板（５０）を設ける。
【００１７】  第２ディスクトレー（３６）にディスク（４０）よりやや大きいサイズのディスク溝（３７）を設けてディスク（４０）を収納しやすくする。
光学ピックアップ駆動部（４）は光学ピックアップ（４３）を回転時間に応じて横滑り移動させ光ファイバー（４４）を通過して分光プリズム（４５）を通過してＲＧＢに分光する。これを色光分離フィルタ（４６）付きの光センサ（４７）で電気信号に変換する。
【００１８】  第１ディスクトレー（３５）は、高密度記録ディスク専用のディスク１で青色レーザー光発振器（４８）で読み出す。
【００１９】  第２ディスクトレー（３６）は、ディスク２でデータ記録用のディスク（４０）を載せて赤色レーザー光発振器（４９）を照射して読み出す。
【００２０】  右カメラ映像信号と右カメラ映像信号を演算回路１（２０）に色ごとに入力するのでそれぞれの出力、Ｒ（右カメラ）とＲ（左カメラ）、Ｇ（右カメラ）とＧ（左カメラ）とＢ（右カメラ）とＢ（左カメラ）を演算回路１へ入力する
演算回路２（２１）にはＲ（右カメラ）とＲ（字幕含まない中央カメラ）、Ｇ（右カメラ）とＧ（字幕含まない中央カメラ）とＢ（右カメラ）とＢ（字幕含まない中央カメラ）を入力して演算する。フィ−ルド数は、テレビカメラが走査線で１枚の画を作る際に２フィールドかかる。このフィ−ルド数は検出できる方法は数通りある。
映像副データとフィ−ルドカウンタ信号（６）はスタートスイッチ（６５）を押すと高精度クロック発振器（６０）を起動させ、クロックパルスがクロック数照合機能ＲＯＭ（６３）にアドレス信号を送り読み出された信号を第１プロセッサ（６２）に入力、同時にフィ−ルドカウンタ数検出器（６１）からのフィ−ルド数値を第１プロセッサ（６２）に入力する。これで照合して一致するとフィールド切り換え信号出力（６４）する。
【００２１】  ディスク（４）がスタートスイッチ（６５）を押して回転すると高精度クロック発振器（６０）は連続したクロックパルスを発振し続ける。このパルスはクロック数照合機能ＲＯＭ（６３）にアドレス信号として入力すると正常なフィ−ルド数値が出てくる。これと第１プロセッサ（６２）でカウンタ検出器（６１）の数値を比較する。照合して異なる場合正常のフィ−ルド数値をクロック数照合機能ＲＯＭ（６３）からフィ−ルド切り換え信号出力（６４）で出力する。比較照合する場合そのまま数値をフィールド数切り換え信号出力（６４）から出てくる。
【００２２】  光学ピックアップ（４３）から得た信号は演算回路３（２２）と演算回路４（２３）に入力される。フィ−ルドカウンタ信号は、第２プロセッサ（２５）からリレーモジュール（２４）を切り替え、演算回路３（２２）と演算回路４（２３）の出力とブルーレイディスクの字幕含めた２Ｄ映像を振り分け、高密度記録ディスクの内容は高密度ＤＡＣ（２６）に入力、演算回路の出力はＤＡＣ（２７）に入力する。ＲＧＢ出力で色ごとに出力する。
【符号の説明】
【００２３】１      本体部
２      電子回路部
２０    演算回路１
２１    演算回路２
２２    演算回路３
２３    演算回路４
２４    リレーモジュール
２５    第２プロセッサ
２６    高密度ＤＡＣ
２７    ＤＡＣ
３      モータ駆動部
３０    モータ軸
３１    ディスクロータリーホイール
３２    ＤＤモータ
３３    軸受
３４    軸
３５    第１ディスクトレー
３６    第２ディスクトレー
３７    ディスク溝
３８    ディスク隙間ホルダー管
４      光学ピックアップ駆動部
４０    ディスク
４１    ディスクテーブル
４２    シール
４３    光学ピックアップ
４４    光ファイバー
４５    分光プリズム
４６    色光分離フィルタ
４７    光センサ
４８    青色レーザー光発振器
４９    赤色レーザー光発振器
５      蓋部
５０    ディスク押さえ板
６      フィ−ルドカウンタ信号
６０    高精度カウンタ発振器
６１    フィ−ルドカウンタ数検出器
６２    第１プロセッサ
６３    クロック数照合機能ＲＯＭ
６４    フィ−ルド切り換え信号出力
６５    スタートスイッチ
７      電源
７０    電源コード
７１    ＵＳＢケーブル端子
【図１】
2017228338.tif 000003
【図２】
2017228338.tif 000004
【図３】
2017228338.tif 000005
【図４】
2017228338.tif 000006
【手続補正書】
【提出日】平成28年7月4日(2016.7.4)
【手続補正１】
【補正対象書類名】明細書
【補正対象項目名】００２１
【補正方法】変更
【補正の内容】
【００２１】  スタートスイッチ（６５）を押してディスク（４）が回転すると高精度クロック発振器（６０）は連続したクロックパルスを発振し続ける。このパルスはクロック数照合機能ＲＯＭ（６３）にアドレス信号として入力されると正常なフィ−ルド数値が出てくる。
この値と第１プロセッサ（６２）でフィールドカウンタ数検出器（６１）の数値を比較する。照合して異なる場合、正常なフィールド数値はクロック数照合機能ＲＯＭ（６３）からフィールド切り換え信号出力（６４）から出る。比較照合して一致する場合、そのままの数値をフィールド切り換え信号出力（６４）から出る。
【手続補正２】
【補正対象書類名】明細書
【補正対象項目名】００２２
【補正方法】変更
【補正の内容】
【００２２】  光学ピックアップ（４３）から得た信号は、演算回路３（２２）と演算回路４（２３）に入力される。フィ−ルドカウンタ信号は、第２プロセッサ（２５）からリレーモジュール（２４）を切り替え、演算回路３（２２）の出力と演算回路４（２３）の出力とディスク１に記録された、字幕を含めた２Ｄ映像の内容を振り分け、高密度記録ディスクのディスク１の内容は、高密度ＤＡＣ（２６）に入力、演算回路３（２２）と演算回路４（２３）の出力は、ＤＡＣ（２７）に入力されＲＧＢ出力で色ごとに出力する。